(57)【要約】【課題】  道路交通などの邪魔にならずに既設管路をバイパスすることができる仮設管路を敷設して、既設管路が幹線道路下に敷設された樹枝状の管路などであっても、この既設管路を断水させることなく、しかも断水の発生の危険性を低減させた状態で、新管に更新できるようにする。【解決手段】  更新すべき既設管路３に沿って設けられることで、既設管路３の更新中に流体を通すために用いられる仮設管路５である。既設管路３よりも小径の複数の小径管路７、７、…が配置されるとともに、各小径管路７ごとに遮断弁８が設けられている。かつこれら複数の小径管路７、７、…が、敷設場所の状況に応じた任意の結束断面で互いに結束されている。【選択図】        図３
2005351315.tif 000002
【特許請求の範囲】
【請求項１】
更新すべき既設管路に沿って敷設されることで、前記既設管路の更新中に流体を通すために用いられる仮設管路であって、既設管路よりも小径の複数の小径管路が配置されるとともに、各小径管路ごとに遮断弁が設けられ、かつこれら複数の小径管路が敷設場所の状況に応じた任意の結束断面で互いに結束されていることを特徴とする既設管路を更新するための仮設管路。
【発明の詳細な説明】
【技術分野】
【０００１】
本発明は、既設管路を更新するための仮設管路に関する。
【背景技術】
【０００２】
鋳鉄製の水道管路が老朽化した場合には、これを新管に敷設替えすることが行われている（たとえば特許文献１）。
しかしながら、一般に樹枝状に配管された水道管路の更新は困難である。なぜなら、樹枝状の管路とは樹木の枝状に複雑に分岐した管路のことをいうが、その根本に近いところで断水すると、その影響範囲が思いがけなく広範囲に拡がってしまう。そのため、その敷設替えは、不断水で工事することが強く求められ、不断水で工事を行うには、バイパス管路を仮設することが不可欠である。しかし、特に幹線道路下に埋設されている水道管路の場合は、バイパス管路を設けることは、交通事情や道路の状況などによって非常に大きな制約を受ける。このため、老朽化した管路の更新工事が手つかずの状態となっているケースが見受けられる。
【特許文献１】特開２００２−９８２６０号公報
【発明の開示】
【発明が解決しようとする課題】
【０００３】
そこで本発明は、道路交通などの邪魔にならずに既設管路をバイパスすることができる仮設管路を敷設して、既設管路が幹線道路下に敷設された樹枝状の管路などであっても、この既設管路を断水させることなく、しかも断水の発生の危険性を低減させた状態で、新管に更新できるようにすることを目的とする。
【課題を解決するための手段】
【０００４】
この目的を達成するため本発明は、更新すべき既設管路に沿って設けられることで、前記既設管路の更新中に流体を通すために用いられる仮設管路であって、既設管路よりも小径の複数の小径管路が配置されるとともに、各小径管路ごとに遮断弁が設けられ、かつこれら複数の小径管路が敷設場所の状況に応じた任意の結束断面で互いに結束されているようにしたものである。
【発明の効果】
【０００５】
したがって本発明によれば、仮設管路を設けることによって不断水で既設管路を更新することができるのみならず、仮設管路を構成する複数の小径管路が敷設場所の状況に応じた、たとえばフラット状やその他の任意の結束断面で互いに結束されているため、たとえばこの仮設管路を道路に敷設する場合には、歩道の部分では歩行者の邪魔になりにくく、また車道の場合は車の邪魔になりにくいように敷設することができる。また、仮設管路として、既設管路よりも小径の複数の管路を用いたため、仮設管路の破損時における断水の危険性を低減させることができ、しかも各小径管路ごとに遮断弁が設けられていることによって、仮設管路の破損時における断水の危険性をいっそう低減させることができる。
【発明を実施するための最良の形態】
【０００６】
図１は幹線道路の平面図を示し、１は車道、２は歩道である。車道１の下の地中には、樹脂製の水道管路３が、既設管路として埋設されている。
この既設の水道管路３が老朽化したために新管に更新する場合には、まず図示のように管路３の一定区間ごとに公知の不断水分岐部４、４、…を設ける。そして、水道管路３における隣り合う不断水分岐部４、４どうしの間を一つの区間として、各区間ごとに既設の水道管路３を新管に更新する。
【０００７】
詳細には、まず、図２に示すように、新管に更新しようとする水道管路３の区間に対応した隣り合う不断水分岐部４、４どうしを、仮設管路５によって接続する。この仮設管路５は、図３に示すように、不断水分岐部４、４にそれぞれ接続される一対のマニホールド６、６と、これらマニホールド６、６どうしの間にわたされる複数の小径管路７、７、…とを備えている。各小径管路７、７、…は、可撓性を有する布管などによって構成されるとともに、その通水断面積の合計が、既設の水道管路３の通水断面積と同等程度となるように構成されている。仮設管路５には、各小径管路７、７、…ごとに、たとえば図３に示すように各小径管７、７、…とマニホールド６、６とを接続する部分において、緊急遮断弁８、８、…が、それぞれ設けられている。各小径管路７、７、…どうしは、水平方向の向きや、鉛直方向の向きや、その敷設場所に合せた任意の配置断面形状となるように並列に配置されたうえで、固定部材９によって相互に結束された状態となるようにされている。すなわち、敷設場所の状況に応じた任意の結束断面となるように、固定部材９によって互いに結束されている。固定部材９は、小径管７、７、…の長さ方向に沿った複数または単数の位置に設けられている。
【０００８】
図４は、固定部材９の一例を示す。ここでは、固定部材９は、樹脂や金属などにより形成された、剛性を有する枠体によって構成されている。詳細には、固定部材９は、小径管７、７、…をはめ込み可能な複数の凹部１０をそれぞれ有した一対の枠部材１１、１１を締結要素１２によって互いに締結することで、これら小径管７、７、…を並列状態で互いに結束できるように構成されている。
【０００９】
図５は、固定部材９の他の例を示す。ここでは、固定部材９は、繊維や樹脂などにより形成された袋体（ただし樹脂の場合は成形品）によって構成され、この袋体が、各小径管７、７、…を通すための貫通孔１３を有することで、同様に小径管７、７、…を並列状態で互いに結束できるように構成されている。
【００１０】
図４、図５では、固定部材９として、小径管７、７、…を水平方向に並べて結束するものを例示したが、上述のように仮設管路５の敷設場所の状況に応じた任意の結束断面となるように、それに対応した構成の固定部材９を用いることができる。
【００１１】
図６は、仮設管路５の敷設例を示す。仮設管路５は、歩道２に敷設する場合は、小径管７、７、…が水平方向に並列に設けられかつ結束された状態とするのが適当である。図示のように、仮設管路５を歩道２に露出状態で敷設したうえで、鋼板などの板材にて構成されたカバー１４をかぶせ、このカバー１４の上を人１５が歩けるようにする。
【００１２】
図７は、交差点の横断部での仮設管路５の敷設例を示す。３は、更新対象の老朽化した水道管路で、地中に埋設されている。ここでは、図示のように交差点横断部１６を掘削して形成した凹部１７に仮設管路５を浅埋設するとともに、この埋設部をカバーするための、敷き鋼板などの板材１８を敷設する。
【００１３】
このように構成したうえで、不断水分岐部４、４を用いて仮設管路５に通水するとともに、この仮設管路５に通水した部分における水道管路３を断水して、これを新管に敷設替えする。
【００１４】
このようにすれば、仮設管路５を設けることによって、不断水で既設の水道管路３を更新することができる。これによって、たとえば上記のように仮設管路５を道路に敷設する場合には、歩道２の部分では歩行する人１５の邪魔になりにくく、また車道の場合は車の邪魔になりにくいように、敷設することができる。また、仮設管路５として、水道管路３よりも小径の複数の管路７、７、…を並列に配置したため、水道管路３と同等の通水断面積を確保しても管路がかさ張らずコンパクトに構成することができる。しかも、仮設管路５として水道管路３よりも小径の複数の管路７、７、…を用いたため、仮設管路５の破損時には各小径管路７ごとの破損となり、このため、管路５の全体における断水の危険性を低減させることができる。しかも各小径管路７ごとに緊急遮断弁８が設けられていることによって、仮設管路５の破損時における断水の危険性をいっそう低減させることができる。
【００１５】
新管への敷設替えが完了したなら、不断水分岐部４によって、この新管への通水を行うとともに、仮設管路５への通水を停止する。そして、仮設管路５を撤去することで、その区間において既設の水道管路３を新管へ敷設替えする工事が完了する。
【図面の簡単な説明】
【００１６】
【図１】本発明にもとづき既設管路を更新する工事を説明するための平面図である。
【図２】図１の次の工程を示す平面図である。
【図３】図２における更新工事を行う区間を詳細に示す正面図である。
【図４】図３における固定部材の一例を示す図である。
【図５】図３における固定部材の他の例を示す図である。
【図６】仮設管路の敷設例を示す図である。
【図７】交差点の横断部での仮設管路の敷設例を示す図である。
【符号の説明】
【００１７】
３    水道管路
４    不断水分岐部
５    仮設管路
７    小径管路
８    緊急遮断弁
９    固定部材
【図１】
2005351315.tif 000003
【図２】
2005351315.tif 000004
【図３】
2005351315.tif 000005
【図４】
2005351315.tif 000006
【図５】
2005351315.tif 000007
【図６】
2005351315.tif 000008
【図７】
2005351315.tif 000009